(57)【要約】【課題】ギヤ部と、上下可動部に取り付けられた上下ラックと、横方向可動部に取り付けられた横ラックとの間の位置関係のずれの発生を抑制することができる表示板移動装置及び該表示板移動装置を備える表示装置を提供する。【解決手段】移動装置２は、上下方向に延びる上下ラック１１を有する上下スライド板１０と、軸線ｘ周りに回動可能に上下スライド板１０に連結されているコンバイナＣを保持するコンバイナ保持部２０と、横方向に延びる横ラック３１を有する横スライド板３０と横スライド板３０に係合可能な保持機構５０とを備えている。保持機構５０は、リンク機構５１と、横スライド板３０に係合した係合状態と横スライド板３０に係合していない非係合状態との間で移動可能になっている保持部材５２とを有しており、リンク機構５１は、上下スライド板１０の移動に連動して保持部材５２を係合状態と非係合状態との間で移動させるようになっている。【選択図】図９
2018180034.tif 000002
【特許請求の範囲】
【請求項１】
表示板の突出移動並びに傾斜移動を行う移動装置であって、
前記表示板の突出移動方向に延びるラックである上下ラックを有する上下可動部と、
前記突出移動方向に交差する軸線周りに回動可能に前記上下可動部に連結されている、前記表示板を保持するための表示板保持部と、
前記突出移動方向に交差する方向に延びるラックである横ラックを有する横方向可動部と、
前記上下ラック及び前記横ラックの少なくともいずれか一方に動力を伝達可能な動力伝達部と、
前記横方向可動部に係合可能な保持機構とを備え、
前記保持機構は、リンク機構と、前記横方向可動部に係合した係合状態と前記横方向可動部に係合していない非係合状態との間で移動可能になっている保持部材とを有しており、
前記リンク機構は、前記上下可動部の移動に連動して前記保持部材を前記係合状態と前記非係合状態との間で移動させるようになっている、ことを特徴とする移動装置。
【請求項２】
前記リンク機構は、前記保持部材に当接可能になっている当接リンクと、前記保持部材を付勢して前記保持部材を前記当接リンクに当接させる付勢部材とを有しており、
前記当接リンクは、前記保持部材が直線移動可能に前記保持部材を押圧可能になっていることを特徴とする請求項１記載の表示板移動装置。
【請求項３】
前記保持部材の直線移動の方向は、前記上下ラック及び前記横ラックの延び方向に直交する方向に沿う方向であることを特徴とする請求項２記載に表示板移動装置。
【請求項４】
前記当接リンクは、前記表示板が突出されていない状態において前記表示板を覆うための蓋を移動させるための前記蓋に接続されたレバーを含むことを特徴とする請求項２又は３記載の表示板移動装置。
【請求項５】
前記リンク機構は、回動可能に支持された回動リンク片を有しており、
前記回動リンク片は、前記保持部材が直線移動可能に前記保持部材に連結されていることを特徴とする請求項１記載の表示板移動装置。
【請求項６】
前記保持部材の直線移動の方向は、前記上下ラックの延びる方向に沿う方向であることを特徴とする請求項５記載の表示板移動装置。
【請求項７】
前記リンク機構は、前記表示板が突出されていない状態において前記表示板を覆うための蓋を移動させるための前記蓋に接続されたレバーを有しており、前記回動リンク片は前記レバーに回動可能に支持されていることを特徴とする請求項５又は６記載の表示板移動装置。
【請求項８】
前記横方向可動部は、突出する部分である被係合突起を有しており、
前記保持部材は、前記係合状態において前記横方向可動部の被係合部に係合する突出する部分である係合突起を有していることを特徴とする請求項１乃至７のいずれか１項記載の表示板移動装置。
【請求項９】
前記横方向可動部は、突出する部分である被係合突起を有しており、
前記保持部材は、前記係合状態において前記横方向可動部の被係合突起に係合する溝である係合溝を有していることを特徴とする請求項１乃至７のいずれか１項記載の表示板移動装置。
【請求項１０】
前記保持部材は、前記上下可動部の突出移動方向に延びる互いに対向する一対の部材であって、その間において前記上下可動部を移動可能に保持する一対の案内部材の一方に保持されていることを特徴とする請求項１乃至９のいずれか１項記載の表示板移動装置。
【請求項１１】
前記上下可動部は突出移動方向において所定の行程である突出行程を移動可能になっており、
前記横方向可動部は前記横ラックが延びる方向において所定の行程である傾斜行程を移動可能になっており、
前記表示板が突出していない前記突出行程の一方の端に前記上下可動部が位置し、前記表示板が傾斜していない前記傾斜行程の一方の端に前記横方向可動部が位置しているときに、前記保持部材が前記横方向可動部に係合していることを特徴とする請求項１乃至１０のいずれか１項記載の表示板移動装置。
【請求項１２】
請求項１乃至１１のいずれか１項記載の表示板移動装置を備える表示装置。
【発明の詳細な説明】
【技術分野】
【０００１】
本発明は、表示板移動装置及び表示板移動装置を備える表示装置に関する。
【背景技術】
【０００２】
従来から、自動車等の車両において運転者等に情報を表示する表示装置が使用されている。このような表示装置としては、例えば、ヘッドアップディスプレイと呼ばれるものがある。この種の表示装置は、車両を運転する運転者の視界に情報を表示するように構成さており、運転者の運転の妨げとならないように情報を表示する構成を有している。この種の表示装置としては、ダッシュボード上に配置された表示板としてのコンバイナに情報を表示するものがあり、コンバイナは、表示装置を使用していない時にはダッシュボード内に収納されており、また、表示装置の使用時にはダッシュボード上に配置される。このようにコンバイナを各位置に配置させるために、表示装置は表示板移動装置を有しており、表示装置において表示板移動装置は、コンバイナを表示装置の内部に収納した収納状態と、表示装置から外部に突出させた展開状態との間で移動させる。
【０００３】
従来の表示板移動装置には、ピニオン等のギヤ部及びラックを介してモータの駆動力が伝達されて、コンバイナの突出する方向（上下方向）に移動可能となっている上下可動部としての上下スライド板と、上下スライド板の移動方向に直交する方向に移動可能となっている横方向可動部としての横スライド板とを有しているものがある。また、この種の表示板移動装置において、上下スライド板には、コンバイナを保持するコンバイナ保持部が、コンバイナの突出する方向に直交する方向に延びる線を軸線として回動可能に連結されている（例えば、特許文献１参照。）。
【０００４】
この種の表示板移動装置を有する表示装置においては、上下スライド板に取り付けられたラックに噛み合うピニオンが回転して、上下スライド板が移動してコンバイナが表示装置から外部に突出する。次いで、ピニオンの噛み合いが横スライド板に取り付けられたラックに移って、横スライド板が軸線方向に移動することにより、コンバイナ保持部が軸線周りに回動して上下スライド板に対して傾倒する。この様にして、上下スライド板が突出方向に移動し、コンバイナ保持部が上下スライド板に対して傾倒することにより、車両においてダッシュボード上にコンバイナが突出方向から傾倒して角度調整された状態に保持される。
【先行技術文献】
【特許文献】
【０００５】
【特許文献１】特開２０１６−２２４２８０号公報
【発明の概要】
【発明が解決しようとする課題】
【０００６】
上述のような従来の表示板移動装置を有する表示装置においては、ピニオンと、上下スライド板に取り付けられたラックと、横スライド板に取り付けられたラックとの間の位置関係が所定の位置関係にあることにより、各部が上述のように動作可能となっている。この位置関係が所定の位置関係からずれると、各部の動きに異常が発生し、これにより振動が発生し、また、横スライド板が動作せずにコンバイナを傾倒できなくなる場合がある。上述の位置関係のずれは、表示装置の搬送時や車両への組み付け時のような移動時や、車両からの振動の伝達により発生することがある。
【０００７】
このように、従来の表示装置に対しては、ピニオンと、上下スライド板に取り付けられたラックと、横スライド板に取り付けられたラックとの間の位置関係のずれの発生を抑制することができる構成が求められていた。
【０００８】
本発明は、上述した課題に鑑みてなされたものであり、その目的は、ギヤ部と、上下可動部に取り付けられた上下ラックと、横方向可動部に取り付けられた横ラックとの間の位置関係のずれの発生を抑制することができる表示板移動装置及び該表示板移動装置を備える表示装置を提供することにある。
【課題を解決するための手段】
【０００９】
上記目的を達成するために、本発明に係る表示板移動装置は、表示板の突出移動並びに傾斜移動を行う表示板移動装置であって、前記表示板の突出移動方向に延びるラックである上下ラックを有する上下可動部と、前記突出移動方向に交差する軸線周りに回動可能に前記上下可動部に連結されている、前記表示板を保持するための表示板保持部と、前記突出移動方向に交差する方向に延びるラックである横ラックを有する横方向可動部と、前記上下ラック及び前記横ラックの少なくともいずれか一方に動力を伝達可能な動力伝達部と、前記横方向可動部に係合可能な保持機構とを備え、前記保持機構は、リンク機構と、前記横方向可動部に係合した係合状態と前記横方向可動部に係合していない非係合状態との間で移動可能になっている保持部材とを有しており、前記リンク機構は、前記上下可動部の移動に連動して前記保持部材を前記係合状態と前記非係合状態との間で移動させるようになっている、ことを特徴とする。
【００１０】
本発明の一態様に係る表示板移動装置において、前記リンク機構は、前記保持部材に当接可能になっている当接リンクと、前記保持部材を付勢して前記保持部材を前記当接リンクに当接させる付勢部材とを有しており、前記当接リンクは、前記保持部材が直線移動可能に前記保持部材を押圧可能になっている。
【００１１】
本発明の一態様に係る表示板移動装置において、前記保持部材の直線移動の方向は、前記上下ラック及び前記横ラックの延び方向に直交する方向に沿う方向である。
【００１２】
本発明の一態様に係る表示板移動装置において、前記当接リンクは、前記表示板が突出されていない状態において前記表示板を覆うための蓋を移動させるための前記蓋に接続されたレバーを含む。
【００１３】
本発明の一態様に係る表示板移動装置において、前記リンク機構は、回動可能に支持された回動リンク片を有しており、前記回動リンク片は、前記保持部材が直線移動可能に前記保持部材に連結されている。
【００１４】
本発明の一態様に係る表示板移動装置において、前記保持部材の直線移動の方向は、前記上下ラックの延びる方向に沿う方向である。
【００１５】
本発明の一態様に係る表示板移動装置において、前記リンク機構は、前記表示板が突出されていない状態において前記表示板を覆うための蓋を移動させるための前記蓋に接続されたレバーを有しており、前記回動リンク片は前記レバーに回動可能に支持されている。
【００１６】
本発明の一態様に係る表示板移動装置において、前記横方向可動部は、突出する部分である被係合突起を有しており、前記保持部材は、前記係合状態において前記横方向可動部の被係合部に係合する突出する部分である係合突起を有している。
【００１７】
本発明の一態様に係る表示板移動装置において、前記横方向可動部は、突出する部分である被係合突起を有しており、前記保持部材は、前記係合状態において前記横方向可動部の被係合突起に係合する溝である係合溝を有している。
【００１８】
本発明の一態様に係る表示板移動装置において、前記保持部材は、前記上下可動部の突出移動方向に延びる互いに対向する一対の部材であって、その間において前記上下可動部を移動可能に保持する一対の案内部材の一方に保持されている。
【００１９】
本発明の一態様に係る表示板移動装置において、前記上下可動部は突出移動方向において所定の行程である突出行程を移動可能になっており、前記横方向可動部は前記横ラックが延びる方向において所定の行程である傾斜行程を移動可能になっており、前記表示板が突出していない前記突出行程の一方の端に前記上下可動部が位置し、前記表示板が傾斜していない前記傾斜行程の一方の端に前記横方向可動部が位置しているときに、前記保持部材が前記横方向可動部に係合している。
【００２０】
上記目的を達成するために、本発明に係る表示板移動装置を備える表示装置は、上述の表示板移動装置を備える。
【発明の効果】
【００２１】
本発明に係る表示板移動装置及び該表示板移動装置を備える表示装置によれば、ギヤ部と、上下可動部に取り付けられたラックと、横方向可動部に取り付けられたラックとの間の位置関係のずれの発生を抑制することができる。
【図面の簡単な説明】
【００２２】
【図１】本発明の実施の形態に係る表示装置の概略構成を示すための図であり、表示板としてのコンバイナが内部に収納された収納状態における表示装置の斜視図である。
【図２】本発明の実施の形態に係る表示装置の概略構成を示すための図であり、コンバイナが完全に突出されて傾倒された展開状態における表示装置の斜視図である。
【図３】本発明の第１の実施の形態に係る表示板移動装置の概略構成を示すための図であり、上側から見た表示板移動装置の斜視図である。
【図４】本発明の第１の実施の形態に係る表示板移動装置の概略構成を示すための図であり、下側から見た表示板移動装置の斜視図である。
【図５】本発明の第１の実施の形態に係る表示板移動装置の概略構成を示すための図であり、表示板移動装置の背面図である。
【図６】本発明の第１の実施の形態に係る表示板移動装置の概略構成を示すための図であり、表示板移動装置の側面図である。
【図７】本発明の第１の実施の形態に係る表示板移動装置における上下スライド板、コンバイナ保持部、横スライド板、動力伝達機構、及び案内部材の機能を説明するための概念図である。
【図８】本発明の第１の実施の形態に係る表示板移動装置における上下スライド板及びコンバイナ保持部の機能を説明するための概念図である。
【図９】本発明の第１の実施の形態に係る表示板移動装置における保持機構の構成の概念図である。
【図１０】本発明の第１の実施の形態に係る表示板移動装置における保持機構の概略構成を示すための表示板移動装置の部分透過拡大斜視図である。
【図１１】本発明の第２の実施の形態に係る表示板移動装置の概略構成を示すための図であり、上側から見た表示板移動装置の斜視図である。
【図１２】本発明の第２の実施の形態に係る表示板移動装置の概略構成を示すための図であり、下側から見た表示板移動装置の斜視図である。
【図１３】本発明の第２の実施の形態に係る表示板移動装置の概略構成を示すための図であり、表示板移動装置の背面図である。
【図１４】本発明の第２の実施の形態に係る表示板移動装置の概略構成を示すための図であり、表示板移動装置の側面図である。
【図１５】本発明の第２の実施の形態に係る表示板移動装置における保持機構の構成の概念図である。
【図１６】本発明の第２の実施の形態に係る表示板移動装置における保持機構の概略構成を示すための移動装置の部分拡大斜視図である。
【発明を実施するための形態】
【００２３】
以下、本発明の実施の形態について図面を参照しながら説明する。
【００２４】
図１，２は、本発明の実施の形態に係る表示装置１の概略構成を示すための図であり、図１は、表示板としてのコンバイナＣが内部に収納された収納状態における表示装置１の斜視図であり、図２は、コンバイナＣが完全に突出されて傾倒された展開状態における表示装置１の斜視図である。
【００２５】
図１，２に示すように、本発明の実施の形態に係る表示装置１は、表示板としての板状のコンバイナＣと、コンバイナＣの突出移動並びに傾斜移動を行う表示板移動装置としての移動装置Ｍと、移送装置Ｍを後側から覆う部材である側板３とを備えている。また、表示装置１は、コンバイナＣが突出されていない状態において、具体的にはコンバイナＣの収納状態において、コンバイナＣを上方において覆うための蓋である蓋体４を備えている。
【００２６】
コンバイナＣは、凹面形状を有するハーフミラーであり、凹面側（図２において紙面手前側）が情報等が投影される表示面Ｃ１である。表示装置１において、表示面Ｃ１が面する側を後側とし、表示面Ｃ１が面する側とは反対の側を前側とする。つまり、図１，２において、紙面奥側が前側であり、紙面手前側が後側である。また、表示装置１においてコンバイナＣが突出する方向の側を上側とし、上側の反対の側を下側とする。また、表示装置１を後側から見て右側を右側とし、左側を左側とする。
【００２７】
移動装置Ｍは、コンバイナＣの収納状態と、コンバイナＣが収納状態から上方へ移動して表示装置１から完全に突出した状態である突出状態との間で、コンバイナＣを上下に移動させる突出移動を行う。また、移動装置Ｍは、突出状態にあるコンバイナＣを、表示面Ｃ１が突出移動方向に平行又は略平行な状態である突出時状態と、コンバイナＣを突出時状態から表示面Ｃ１が上方に向くように傾けていき、表示面Ｃ１が所定の角度上方に傾いた状態である展開状態との間で、コンバイナＣを移動させる傾動移動を行う。
【００２８】
次いで、本発明の実施の形態に係る移動装置Ｍの第１の実施の形態について説明する。図３〜６は、本発明の第１の実施の形態に係る移動装置２の概略構成を示すための図であり、図３は、上側から見た移動装置２の斜視図であり、図４は、下側から見た移動装置２の斜視図であり、図５は、移動装置２の背面図であり、図６は、移動装置２の側面図である。
【００２９】
図３〜６に示すように、移動装置２は、コンバイナＣの突出移動方向（上下方向）に延びるラックである上下ラック１１を有する上下可動部としての上下スライド板１０と、突出移動方向に交差する軸線ｘ周りに回動可能に上下スライド板１０に連結されている、コンバイナＣを保持するための表示板保持部としてのコンバイナ保持部２０と、突出移動方向に交差する方向（横方向）に延びるラックである横ラック３１を有する横方向可動部としての横スライド板３０とを備えている。また、移動装置２は、上下ラック１１及び横ラック３１の少なくともいずれか一方に動力を伝達可能な動力伝達部４０と、横スライド板３０に係合可能な保持機構５０とを備えている。また、移動装置２は、上下スライド板１０の突出移動方向に延びる互いに対向する一対の部材であって、その間において上下スライド板１０を移動可能に保持する一対の案内部材６１，６２を備えている。上下スライド板１０は上下方向において所定の行程である突出行程を移動可能になっており、横スライド板３０は後述する横ラック３１が延びる方向において所定の行程である傾斜行程を移動可能になっている。
【００３０】
保持機構５０は、リンク機構５１と、横スライド板３０に係合した係合状態と横スライド板３０に係合していない非係合状態との間で移動可能になっている保持部材５２とを有しており、リンク機構５１は、上下スライド板１０の移動に連動して保持部材５２を係合状態と非係合状態との間で移動させるようになっている。
【００３１】
上下スライド板１０は、動力伝達部４０によって上下に移動されることにより、コンバイナＣを突出移動させるように構成されている。横スライド板３０は、上下スライド板１０によってコンバイナＣが完全に突出された突出状態において、動力伝達部４０によって横方向に動かされることにより、コンバイナ保持部２０を介してコンバイナＣを傾動移動させるように構成されている。上下スライド板１０、コンバイナ保持部２０、横スライド板３０、動力伝達部４０、及び案内部材６１，６２は、公知の構成のものを使用できる。
【００３２】
図７は、移動装置２における上下スライド板１０、コンバイナ保持部２０、横スライド板３０、動力伝達部４０、及び案内部材６１，６２の機能を説明するための概念図である。上下スライド板１０、コンバイナ保持部２０、横スライド板３０、動力伝達部４０、及び案内部材６１，６２は、例えば、図７に示すような構成を有している。
【００３３】
移動装置２において、図７に示すように、左側の案内部材である案内部材６１（以下、左案内部材６１ともいう。）と右側の案内部材である案内部材６２（以下、右案内部材６２ともいう。）との間に、側板３及び収納状態にあるコンバイナＣと平行又は略平行に上下スライド板１０、コンバイナ保持部２０、及び横スライド板３０が配置されている。動力伝達部４０は、少なくとも１つのギヤを有するギヤ部４１と、ギヤ部４１に動力を伝達可能に設けられたモータ４２とを有している。ギヤ部４１は、例えば、側板３に上下方向に並べて取り付けられたギヤ列である。
【００３４】
左案内部材６１は、内部に面する面である内面６１ａに、軸案内溝６１ｂと案内ラック６１ｃと板案内溝６１ｄとを有している。軸案内溝６１ｂは、上下方向に延在しており、その上端６１ｂｔは左案内部材６１の上辺近傍に、その下端６１ｂｂは左案内部材６１の上下中央のやや下方にある。上端６１ｂｔには、図７中の拡大図に示すように板バネｆｓが下方に押圧力を発生するような状態で配置されている。案内ラック６１ｃも、軸案内溝６１ｂと同様に、左案内部材６１の上辺近傍と上下中央のやや下方の位置との間で上下方向に延在している。軸案内溝６１ｂと案内ラック６１ｃとは平行又は略平行であり、また、上下方向にほぼ同じ長さを有して延在している。また、板案内溝６１ｄは、左案内部材６１の内面６１ａ上において、軸案内溝６１ｂについて案内ラック６１ｃ側とは反対側で上下方向に延在している。板案内溝６１ｄの上端は左案内部材６１の上下中央のやや上方に、下端は左案内部材６１の下辺近傍にある。また、板案内溝６１ｄの上下方向の長さは、軸案内溝６１ｂ、案内ラック６１ｃの上下方向の長さと略同一、又は軸案内溝６１ｂ、案内ラック６１ｃよりも長い。
【００３５】
右案内部材６２は、左案内部材６１と同様に、軸案内溝６１ｂと案内ラック６１ｃと板案内溝６１ｄとに夫々対応する、軸案内溝６２ｂと案内ラック６２ｃと板案内溝６２ｄとを内部に面する面である内面６２ａに有している。軸案内溝６２ｂの上端６２ｂｔには、左案内部材６１の軸案内溝６１ｂの上端６１ｂｔと同様に板バネ（不図示）が下方に押圧力を発生するような状態で配置されている。
【００３６】
上下スライド板１０は、図７に示すように、軸線ｘ方向が長手方向である矩形の板状部材であり、平板部１２と、平板部１２の軸線ｘ方向の両端部に形成された連結部１３，１４（図８）とを有している。上下スライド板１０は、平板部１２が左案内部材６１及び右案内部材６２の間に、収納状態にあるコンバイナＣと平行に又は略平行に位置するよう配置されている。上下スライド板１０において、上下ラック１１は、平板部１２の側板３と対向する後側の面に形成されており、この後側の面には、カム溝１５、案内溝１６、及び３つの支持溝１７ａ〜１７ｃが形成されている。また、平板部１２の軸線ｘ方向の両端の下端部には、左案内部材６１の板案内溝６１ｄ及び右案内部材６２の板案内溝６２ｄに夫々嵌合されるボス１２ａが形成されている。
【００３７】
上下ラック１１は、上下スライド板１０（平板部１２）の上端と下端との間に、歯を右案内部材６２側に向けて上下方向に延在している。上下ラック１１は、側板３に取り付けられたギヤ部４１（ギヤ列）と共にラックアンドピニオン機構を構成する。このラックアンドピニオン機構によって、モータ４２の回転が上下スライド板１０の上下方向の移動に変換され、上下スライド板１０が突出行程間で移動する。
【００３８】
カム溝１５、案内溝１６、支持溝１７ａ〜１７ｃは夫々、前側に凹む直線状の溝である。カム溝１５は、上側から下側に向かって、右側に斜めに、例えば上下方向に対して４５°の角度を成して延びている。案内溝１６は、上下方向に延在しており、下端がカム溝１５の上端に接続している。支持溝１７ａ〜１７ｃは軸線ｘ方向に延在しており、軸線ｘ方向において中央に配置された支持溝１７ｂは、その左側の端部においてカム溝１６の下端に接続している。支持溝１７ａ〜１７ｃの右側の端部は閉じられている。
【００３９】
コンバイナ保持部２０は、図７，８に示すように、軸線ｘ方向が長手方向である矩形の保持板部２１と、保持板部２１の下端において保持板部２１から後側に立設された２つのリブ２２と、保持板部２１の軸線ｘ方向の両端部に形成された連結部２６，２７とを有している。保持板部２１の、リブ２２が延在する側とは反対側の面には、コンバイナＣが固定される。
【００４０】
リブ２２は、保持板部２１の下端に、軸線ｘ方向に２つ並んで形成されている。リブ２２は、初期保持部２３と、初期保持部２３よりも右側に位置する傾斜保持部２４と、初期保持部２３と傾斜保持部２４との間に広がる傾斜部２５とを有している。初期保持部２３の後側の端部２３ａは、保持板部２１から距離が一定の寸法ｄ１で軸線ｘ方向に延びており、傾斜保持部２４の後側の端部２４ａは、保持板部２１からの距離が寸法ｄ１よりも大きい一定の寸法ｄ２で軸線ｘ方向に延びている。傾斜部２５の後側の端部２５ａは、端部２３ａと端部２４ａとの間を直線状に延びている。傾斜部２５の端部２５ａと保持板部２１との間の寸法ｄ３は、軸線ｘ方向に沿って左側から右側に進むに連れて次第に大きくなっており、保持板部２１に対して角度θで傾斜している。
【００４１】
図７，８に示すように、上下スライド板１０に対してコンバイナ保持部２０は、連結部１３，１４及び連結部２６，２７を夫々介して、回転可能に連結されている。具体的には、上下スライド板１０は、コンバイナ保持部２０のリブ２２が延在する側（コンバイナＣが取り付けられた面とは反対側）に、連結部１３，１４が、コンバイナ保持部２０の２つの連結部２６，２７の間に位置するように配置されている。この状態において軸ＳＨが、上下スライド板１０の連結部１３，１４の貫通孔と、コンバイナ保持部２０の連結部２６，２７の貫通孔とを通り、上下スライド板１０とコンバイナ保持部２０とを連結している。また、上下スライド板１０の平板部１２とコンバイナ保持部２０の保持板部２１との間には、コンバイナ保持部２０の保持板部２１を、上下スライド板１０に近づく方向に付勢するねじりばね（不図示）が設けられている。
【００４２】
軸ＳＨの両端部の近傍には、同期ピニオンＳＰｎが夫々取り付けられている。軸ＳＨの一方の側の端部は、左案内部材６１の軸案内溝６１ｂに嵌合されて、一方の側の同期ピニオンＳＰｎは左案内部材６１の案内ラック６１ｃと噛み合わされる。同様に、軸ＳＨの他方の側の端部は、右案内部材６２の軸案内溝６２ｂに嵌合されて、他方の側の同期ピニオンＳＰｎは右案内部材６２の案内ラック６２ｃと噛み合わされる。
【００４３】
横スライド板３０は、矩形状の本体部３２と、本体部３２の左側において下方に延在する矩形状の左張出部３３と、本体部３２の右側において下方に延在する矩形状の右張出部３４とを有している。横スライド板３０は、左案内部材６１と右案内部材６２との間において、軸線ｘ方向に移動可能なように、不図示のレール機構を介して側板３に取り付けられている。また、横スライド板３０は、前後方向においては、側板３と上下スライド板１０との間に配置されている。
【００４４】
本体部３２の下辺３２ａの左側には、歯を下方に向けて軸線ｘ方向に延在する横ラック３１が形成されている。横ラック３１は、側板３に取り付けられたギヤ部４１と共にラックアンドピニオン機構を構成する。このラックアンドピニオン機構によって、モータ４２の回転が横スライド板３０の軸線ｘ方向の移動に変換され、横スライド板３０が傾斜行程間で移動する。横ラック３１のピッチは上下ラック１１のピッチと同一又は略同一である。
【００４５】
本体部３２の、上下スライド板１０側を向く面（側板３とは反対側を向く面）には、円筒状の３つの突起ｐ１〜ｐ３が形成されている。突起ｐ１〜ｐ３は、上下方向においては互いに同じ位置に配置されており、軸線ｘ方向においては定められた間隔で配置されている。突起ｐ１、ｐ３は、上下スライド板１０が上方に移動して横スライド板３０と対向した時に夫々支持溝１７ａ内、１７ｃ内に嵌入するように、軸線ｘ方向の両端部近傍に配置されている。また突起ｐ２は、上下スライド板１０が上方に移動して横スライド板３０と対向した時に、案内溝１６内、カム溝１５内、支持溝１７ｂ内に順に嵌入するように、本体部３２の軸線ｘ方向の中央近傍に配置されている。
【００４６】
左張出部３３は、本体部３２の左側の端部と、横ラック３１の左側の端部との間から、下方に延在している。左張出部３３の上下スライド板１０側を向く面には、円筒状の突起ｐ４が形成されている。突起ｐ４は、コンバイナ保持部２０が上方に移動して横スライド板３０と対向した時に、左側のリブ２２の側面（端部２３ａ〜２５ａ）と接触し、この側面を摺動するように配置されている。
【００４７】
右張出部３４は、本体部３２の右側の端部と、横ラック３１の右側の端部との間から、下方に延在している。右張出部３４の上下スライド板１０側を向く面には、円筒状の突起ｐ５が形成されている。突起ｐ５は、コンバイナ保持部２０が上方に移動して横スライド板３０と対向した時に、右側のリブ２２の側面（端部２３ａ〜２５ａ）と接触し、この側面上を摺動するように配置されている。
【００４８】
ギヤ部４１は、側板３に取り付けられており、図７に示す通り３つのピニオン４３ａ〜４３ｃと、各ピニオンの間に配置された２つのアイドルギヤ４４ａ，４４ｂとを含む。アイドルギヤ４４ａにはモータ４２が連結されている。
【００４９】
コンバイナＣの収納状態において、上下スライド板１０は、突出工程において最下部に位置しており、また、横スライド板３０は、傾斜行程において最も左案内部材６１側（左側）に位置している。この状態において、ギヤ部４１は、上下スライド板１０の上下ラック１１のみに噛み合っている。
【００５０】
コンバイナＣの収納状態においてモータ４２が駆動されると、上下スライド板１０が上方に移動を始める。上下スライド板１０が上方に移動し続け、上下スライド板１０が突出行程の所定の位置に達すると、上下スライド板１０の案内溝１６内に横スライド板３０に突起ｐ２が入り込む。上下スライド板１０が更に上方に移動し続けると、突起ｐ２が案内溝１６内を下方に進み、上下スライド板１０が突出行程の所定の位置に達すると、突起ｐ２が案内溝１６を抜けてカム溝１５内に入り込む。
【００５１】
上下スライド板１０が更に上方に移動し続けると、突起ｐ２はカム溝１５に押されながらカム溝１５内を下方に向かって進む。このとき、このカム溝１５が突起ｐ２を押す力の分力により、横スライド板３０は右案内部材６２側に移動する。上下スライド板１０が更に上方に移動し続け、上下スライド板１０が突出行程の所定の位置に達すると、右案内部材６２側に移動している横スライド板３０の横ラック３１がギヤ部４１と噛み合う。つまり、上下ラック１１と横ラック３１とが共にギヤ部４１に噛み合い、上下スライド板１０及び横スライド板３０が共にギヤ部４１によって動かされるようになる。
【００５２】
上下スライド板１０が更に上方に移動し続け、上下スライド板１０が突出行程の最上部近傍の所定の位置に達すると、上下ラック１１とギヤ部４１との間の噛み合いが外れる。一方、横スライド板３０は、ギヤ部４１によって動かされ、カム溝１５内の突起ｐ２がカム溝１５を押し、この押す力の分力により、上下ラック１１が上方に動かされる。横スライド板３０が更に横方向に移動し続け、横スライド板３０が傾斜行程の所定の位置に達すると、突起ｐ２がカム溝１５を抜けて支持溝１７ｂ内に入り込む。このとき、突起ｐ１，ｐ３も夫々支持溝１７ａ，１７ｃ内に入り込み、上下スライド板１０は支持溝１７ａ〜１７ｃ及び突起ｐ１〜ｐ３を介して横スライド板３０に上下方向において支持され、また、軸ＳＨの両端部は夫々左軸案内溝６１ｂの上端部６１ｂｔ及び右軸案内溝６２ｂの上端部６２ｂｔに配置された板ばねｆｓに当接し、上下スライド板１０は突出行程の最上部に達してこの最上部に保持される。これにより、コンバイナＣが上方に最も突出した突出状態となる。
【００５３】
横スライド板３０が更に横方向に移動し続けると、突起ｐ４，ｐ５の先端がリブ２２の初期保持部２３の端部２３ａに対向しながら又は接触しながら横方向に進み、横スライド板３０が傾斜行程の所定の位置に達すると、突起ｐ４，ｐ５の先端がリブ２２の傾斜部２５の端部２５ａに接触する。横スライド板３０が更に横方向に移動し続けると、突起ｐ４，ｐ５の先端が傾斜部２５の端部２５ａに接触しながら横方向に移動し、傾斜部２５の端部２５ａの傾きによって突起ｐ４，ｐ５の先端と傾斜部２５の根元との間の距離が増していく。これにより、軸ＳＨ周りにコンバイナ保持部２０が回転し、コンバイナ保持部２０が上下スライド板１０に対して傾斜していき、コンバイナＣが後方側に傾斜していく。
【００５４】
横スライド板３０が更に横方向に移動し続け、横スライド板３０が傾斜工程の所定の位置に達すると、モータ４２が停止する。このとき、突起ｐ４，ｐ５の先端は傾斜部２５の端部２５ａの中央又は略中央に位置しており、コンバイナＣはその傾斜できる幅（角度）の中央又は略中央に位置する標準展開状態となっている。コンバイナＣの傾斜角度は、モータ４２を駆動させて、突起ｐ４，ｐ５の先端を傾斜部２５の端部２５ａにおいて移動させることにより、標準展開状態から調整できる。コンバイナＣを収納状態に戻すためには、上述の動作とは逆の動作をすればよい。
【００５５】
次いで、保持機構５０について説明する。図９は、保持機構５０の構成の概念図であり、図１０は、保持機構５０の概略構成を示すための移動装置２の部分透過拡大斜視図である。図９に示すように、保持機構５０は、コンバイナＣの収納状態において横スライド板３０が位置する側の案内部材に設けられており、本実施の形態に係る移動装置２においては、保持機構５０は、左側の左案内部材６１に設けられている。リンク機構５１は、保持部材５２に当接可能になっている当接リンク５３と、保持部材５２を付勢して保持部材５２を当接リンク５３に当接させる付勢部材５４とを有している。当接リンク５３は、保持部材５２が直線移動可能に保持部材５２を押圧可能になっている。保持部材５２の直線移動の方向は、例えば、上下ラック１１及び横ラック３１の延び方向に直交する方向に沿う方向である。
【００５６】
保持部材５２は、直線移動可能に案内部材６１に保持されており、例えば、案内部材６１には、前後方向（図９の矢印ａ方向）に延びる貫通孔であるガイド孔６３が形成されており、保持部材５２は、このガイド孔６３に挿入されてガイド孔６３に沿って前後方向に移動可能に形成されている。保持部材５２を保持する構成はガイド孔６３でなくてもよい。
【００５７】
当接リンク５３は、軸線ｘに平行な軸線周りに回動可能に案内部材６１に支持されており、上下スライド板１０の上下移動に連動して所定の幅を回動（揺動）するように形成されている。また、当接リンク５３は、ガイド孔６３に挿入された保持部材５２の直線移動の方向における一方の側から保持部材５２に当接する当接部５３ａを有している。具体的には、当接部５３ａは、前側から後側に向かって保持部材５２の前側の端部である前端部５２ａに当接するように形成されている。当接リンク５３は、上下スライド板１０が突出行程において最下部に位置する時に、当接部５３ａが前後方向において最も後側に位置し、上下スライド板１０が突出行程において最上部に位置する時に、当接部５３ａが前後方向において最も前側に位置するように形成されている。当接リンク５３は、回動可能に連結された複数のリンク片を有するものであってもよく、１つのリンク片を有するものであってもよい。
【００５８】
付勢部材５４は、ばね等の弾性部材であり、ガイド孔６３に挿入された保持部材５２の直線移動の方向における他方の側から保持部材５２を当接リンク５３の当接部５３ａに向かって押圧するように形成されている。具体的には、付勢部材５４は、保持部材５２の後側の端部である後端部５２ｂに後側から前側に向かう力を与えるように形成されている。
【００５９】
保持機構５０は、リンク機構５１によって最も後側に移動させられた状態における保持部材５２が、傾斜行程において最も左側に位置しているコンバイナＣの収容状態における横スライド板３０に係合するように形成された係合部５５を有している。係合部５５は、例えば、横スライド板３０の有する突出する部分である被係合突起３６と、保持部材５２の有する係合状態において横スライド板３０の被係合突起３６に係合する突出する部分である係合突起５６とを有している。被係号突起３６は、例えば、横スライド板３０の左側の端部（左端部３５）に形成されている。
【００６０】
コンバイナＣの収容状態において、当接リンク５３の当接部５３ａは前後方向において最も後ろ側の位置となっており、この当接部５３ａに押されて保持部材５２は前後方向において最も後ろ側の位置となっており、保持部材５２の係合突起５６が横スライド板３０の被係合突起３６に係合しており、横スライド板３０が右案内部材６２側に移動できなくなっている。係合突起５６及び被係合突起３６は、横スライド板３０が横方向に移動できないような形状になっていることが好ましい。例えば、係合突起５６は、被係合突起３６を横方向において両側から挟むような形状になっており、または、係合突起３６は、被係合突起５６を横方向において両側から挟むような形状になっている。
【００６１】
コンバイナＣの収容状態から上下スライド板１０が上方に移動すると、上下スライド板１０の上方への移動に連動して当接リンク５３が前側（図９の矢印ｃ方向）に回動していく。保持部材５２は付勢手段５４によって当接リンク５３に押し付けられているので、保持部材５２は、当接リンク５３の回動に連動してガイド孔６３に沿って前側に移動していく。これにより係合突起５６と被係合突起３６との間の係合が解除される。当接リンク５３は、上下スライド板１０の更なる上方への移動に連動して更に前側に回動してもよく、係合突起５６と被係合突起３６との間の係合が解除された後は上下スライド板１０の更なる上方への移動に連動して回動しないようになっていてもよい。このように、保持機構５０は、コンバイナＣの収容状態において、横スライド板３０が横方向に移動しないようになっており、ギヤ部４１と、上下スライド板１０の上下ラック１１と、横スライド板３０の横ラック３１との間の位置関係のずれの発生を抑制することができる。これにより、移動装置２の動作不良の発生の防止を図ることができる。
【００６２】
コンバイナＣが収納される際は、上述の係合解除の動作とは反対に、上下スライド板１０の下方への移動に連動して当接リンク５３が後側（図９の矢印ｂ方向）に回動していき、当接リンク５３が保持部材５２を後側に押していく。これにより、保持部材５２は、当接リンク５３の回動に連動してガイド孔６３に沿って後側に移動していき、上下スライド板１０が最下部に達した際には、係合突起５６が被係合突起３６に係合した状態となっている。
【００６３】
保持部材５２のガイド孔６３との間の摺動面には、図９に示すように、保持部材５２の移動方向に延びる凸部である突条部５２ｃが形成されていてもよい。突条部５２ｃは保持部材５２の全ての摺動面に設けられていてもよく、特定の摺動面に設けられていてもよい。また、形成される突条部５２は１つであっても複数であってもよい。また、保持部材５２に突条部５２ｃが設けられておらず、ガイド孔６３の保持部材５２との間の摺動面に、突条部５２と同様に突条部が形成されていてもよい。この突条部５２により、保持部材５２とガイド孔６３との間の接触面積を減らすことができ、保持部材５２の動きを滑らかにすることができる。
【００６４】
保持機構５０は、より具体的には、図１０に示すように構成されている。リンク機構５１における当接リンク５３は、リンク片としての蓋体レバー５７と、蓋体レバーリンク５８とを有している。蓋体レバー５７は、コンバイナＣが突出されていない状態においてコンバイナＣを上方において覆うための蓋体４を移動させるための蓋体４に接続されたレバーである。蓋体レバーリンク５８は、蓋体レバー５７を動かすためのリンク片である。蓋体レバー５７は、左案内部材６１の外側の側面に設けられた軸６４によって回動可能に支持されており、下側の端部（下端部５７ａ）に歯５７ｂが形成されている。蓋体レバー５７の上側の端部には蓋体４が接続されている。また、蓋体レバーリンク５８は、左案内部材６１の外側の側面に設けられた軸６５によって回動可能に支持されており、上側の端部（上端部５８ａ）に蓋体レバー５７の歯５７ｂに噛み合う歯５８ｂが形成されている。右案内部材６２にも蓋体レバー５７及び蓋体レバーリンク５８と対称に同様の図示しない蓋体レバー及び蓋体レバーリンクが設けられている。
【００６５】
上下スライド板１０と蓋体レバーリンク５８とは連動しており、上下スライド板１０が突出行程の最下部（コンバイナＣの収納状態）から所定の距離を上方に移動すると、上下スライド板１０の上方への移動に連動して、蓋体レバーリンク５８が矢印ｒ１（図１０参照）方向に回動する。歯５８ｂと歯５７ｂとの噛み合いにより、蓋体レバーリンク５８が矢印ｒ１方向に回動すると、蓋体レバー５７は矢印ｒ３（図１０参照）方向に回動する。これにより、蓋体４がコンバイナＣの上方から移動し、コンバイナＣが上方において開放される。一方、上下スライド板１０が突出行程の上述の所定の距離の位置から最下部まで下方に移動すると、上下スライド板１０の下方への移動に連動して、蓋体レバーリンク５８が矢印ｒ２（図１０参照）方向に回動する。歯５８ｂと歯５７ｂとの噛み合いにより、蓋体レバーリンク５８が矢印ｒ２方向に回動すると、蓋レバー５７は矢印ｒ４（図１０参照）方向に回動する。これにより、蓋体４がコンバイナＣの上方に移動し、コンバイナＣの上方が覆われる。
【００６６】
当接リンク５３の当接部５３ａは、蓋体レバーリンク５７の後側に向く端面に形成されており、一端が左案内部材６１に固定された付勢部材５４としてのねじりバネ又は板バネが他方の端部において保持部材５２に係合して保持部材５２を前方に押しており、保持部材５２の前端部５２ａを当接部５３ａに押し付けている。
【００６７】
上述の構成を有する保持機構５０により、蓋体４が閉じられたコンバイナＣの収納状態においては、保持部材５２の係合突起５６が横スライド板３０の被係合突起３６に係合しており、横スライド板３０が横方向に移動できなくなっている。また、コンバイナＣの収納状態から上下スライド板１０が上方に移動すると、蓋体レバーリンク５８及び蓋体レバー５７の回転を介して蓋体４が開き、付勢部材５４によって蓋体レバー５７の当接部５３ａに押し付けられている保持部材５２がガイド孔６３内に入り込み、保持部材５２の係合突起５６と横スライド板３０の被係合突起３６との間の係合が解除される。
【００６８】
上述のように、本発明の第１の実施の形態に係る移動装置２によれば、ギヤ部４１と、上下スライド板１０に取り付けられた上下ラック１１と、横スライド板３０に取り付けられた横ラック３１との間の位置関係のずれの発生を抑制することができる。
【００６９】
次いで、本発明の実施の形態に係る移動装置Ｍの第２の実施の形態について説明する。図１１〜１４は、本発明の第２の実施の形態に係る移動装置５の概略構成を示すための図であり、図１１は、上側から見た移動装置５の斜視図であり、図１２は、下側から見た移動装置５の斜視図であり、図１３は、移動装置５の背面図であり、図１４は、移動装置５の側面図である。以下、上述の本発明の第１の実施の形態に係る移動装置２に対して同一の又は同様の機能を有する構成については同一の符号を付して説明を省略し、異なる構成について説明する。
【００７０】
図１１〜１４に示すように、本発明の第２の実施の形態に係る移動装置５は、本発明の第１の実施の形態に係る移動装置２と同様に、上下スライド板１０、コンバイナ保持部２０、横スライド板３０、動力伝達部４０、及び案内部材６１，６２を有しており、移動装置２と同様に動作して、コンバイナＣの突出移動及び傾倒移動を行い、コンバイナＣを収納状態と展開状態との間で移動させる。
【００７１】
また、移動装置５は、移動装置２の保持機構５０とは異なる保持機構７０を有している。図１５は、保持機構７０の構成の概念図であり、図１６は、保持機構７０の概略構成を示すための移動装置５の部分拡大斜視図である。保持機構７０は、リンク機構７１と、横スライド板３０に係合した係合状態と横スライド板３０に係合していない非係合状態との間で移動可能になっている保持部材７２とを有しており、リンク機構７１は、上下スライド板１０の移動に連動して保持部材７２を係合状態と非係合状態との間で移動させるようになっている。
【００７２】
図１５に示すように、保持機構７０は、コンバイナＣの収納状態において横スライド板３０が位置する側の案内部材に設けられており、本実施の形態に係る移動装置５においては、保持機構７０は、左側の左案内部材６１に設けられている。リンク機構７１は、回動可能に支持された回動リンク片７３を有しており、回動リンク片７３は、保持部材７２が直線移動可能に保持部材７２に連結されている。保持部材７２の直線移動の方向は、例えば、上下ラック１１の延びる方向に沿う方向、または、左案内部材６１が延びる方向に沿う方向である。
【００７３】
保持部材７２は、直線移動可能に案内部材６１に保持されており、例えば、案内部材６１には、案内部材６１の延び方向（図１５の矢印ｄ方向）に延びるガイド６６が形成されており、保持部材７２は、このガイド６６に係合して案内されて案内部材６１に沿って上下方向に移動可能に形成されている。ガイド６６は、例えば突条部又は溝であり、保持部材７２を案内可能に保持する構成であればよい。
【００７４】
回動リンク片７３は、軸線ｘに平行な軸線周りに回動可能に案内部材６１に支持されており、上下スライド板１０の上下移動に連動して所定の幅を回動（揺動）するように形成されている。また、回動リンク片７３は、保持部材７２に相対移動可能に連結されており、上下スライド板１０の上下移動に連動して回動することにより、ガイド６６に係合された保持部材７２を上下方向に移動させることができるようになっている。例えば、リンク機構７１は、軸線ｘに平行な軸線周りに回動可能に案内部材６１に支持されたリンク片７４を有している。リンク片７４は、回動リンク片７３に連結されており、また、上下スライド板１０の上下移動に連動して回動するようになっており、リンク片７４の回動によって回動リンク片７３が回動し、保持部材７２がガイド６６に沿って上下移動する。
【００７５】
保持機構７０は、リンク機構７１によって最も下側に又は最も上側に移動させられた状態における保持部材７２が、傾斜行程において最も左側に位置しているコンバイナＣの収容状態における横スライド板３０に係合するように形成された係合部７７を有している。係合部７７は、例えば、横スライド板３０の有する突出する部分である被係合突起３６と、保持部材７２の有する係合状態において横スライド板３０の被係合突起３６に係合する溝である係合溝７８とを有している。係合溝７８は、例えば、案内部材６１のガイド６６と同じ方向に延びるように保持部材７２の後側の面に形成された溝である。保持部材７２は、移動装置５がコンバイナＣの収納状態に近づくに連れて、ガイド６６に沿って上方又は下方に移動し、このとき、被係合突起３６は下方又は上方から係合溝７８に入り、または、被係合突起３６は上方又は下方から係合溝７８から抜け出る。
【００７６】
コンバイナＣの収納状態において、保持部材７２の係合溝７８が横スライド板３０の被係合突起３６に係合しており、横スライド板３０が横方向に移動できなくなっている。コンバイナＣの収容状態から上下スライド板１０が上方に移動すると、上下スライド板１０の上方への移動に連動してリンク片７４が回動し、連動して回動リンク片７３が回動し、保持部材７２は、回動リンク片７３の回動に連動してガイド６６に沿って下側に又は上側に移動していく。これにより係合溝７８と被係合突起３６との間の係合が解除される。回動リンク片７３は、上下スライド板１０の更なる上方への移動に連動して更に下側に又は上側に回動してもよく、係合溝７８と被係合突起３６との間の係合が解除された後は上下スライド板１０の更なる上方への移動に連動して回動しないようになっていてもよい。このように、保持機構７０は、コンバイナＣの収容状態において、横スライド板３０が横方向に移動しないようになっており、ギヤ部４１と、上下スライド板１０の上下ラック１１と、横スライド板３０の横ラック３１との間の位置関係のずれの発生を抑制することができる。これにより、移動装置５の動作不良の発生の防止を図ることができる。
【００７７】
コンバイナＣが収納される際は、上述の係合解除の動作とは反対に、上下スライド板１０の下方への移動に連動してリンク片７４及び回動リンク片７３が回動していき、回動リンク片７３が保持部材７２を上側に又は下側に動かしていく。これにより、保持部材７２は、回動リンク片７３の回動に連動してガイド６６に沿って上側に又は下側に移動していき、上下スライド板１０が最下部に達した際には、係合溝７８が被係合突起３６に係合した状態となっている。
【００７８】
保持機構７０は、より具体的には、図１６に示すように、構成されている。左案内部材６１にはガイド６６としてのガイドレールが形成されている。このガイドレールは、上下方向に延びるレールであり、後側に突き出した上下方向に延びる突条部によって形成されている。保持部材７２は、左案内部材６１に沿って上下方向に移動可能に形成されており、ガイド６６が嵌め込まれる溝であるガイド収容溝７２ａが形成されている。
【００７９】
回動リンク片７３は、略扇形の板状の部材であり、中心側の端部（中心端部７３ａ）において左案内部材６１に軸線ｘに平行な軸線周りに回動可能に、左案内部材６１に形成された軸６７に保持されている。回動リンク片７３の周側の前側の端部（前端部７３ｂ）には、軸７３ｃが立設されており、また、回動リンク片７３の周側の後側の端部（後端部７３ｄ）には、保持部材７２に形成された左側に突出する軸７２ｂが嵌め込まれる貫通孔７３ｅが形成されている。この貫通孔７３ｅは、中心端部７３ｂと後端部７３ｄとを結ぶ方向に沿って延びており、この延び方向の幅は保持部材７２の軸７２ｂの幅（太さ）よりも大きくなっており、また、貫通孔７３ｅの延び方向に直交する方向の幅は、軸７２ｂの幅よりもやや大きくなっている。これにより、保持部材７２の軸７２ｂが回動リンク片７３の貫通孔７３ｅ内をその延び方向に沿って移動可能になっている。
【００８０】
リンク片７４は、上述の保持機構５０の蓋体レバー５７及び蓋体レバーリンク５８と夫々同様の構造を有する蓋体レバー７５及び蓋体レバーリンク７６とから構成されている。蓋体レバー７５は、コンバイナＣが突出されていない状態においてコンバイナＣを上方において覆うための蓋体４を移動させるための蓋体４に接続されたレバーである。蓋体レバー７５には、回動リンク片７３に形成された軸７３ｂが嵌め込まれる貫通孔７５ｃが形成されている。この貫通孔７５ｃは、略上下方向に延びており、この延び方向の幅は回動リンク片７３の軸７３ｂの幅（太さ）よりも大きくなっており、また、貫通孔７５ｃの延び方向に直交する方向の幅は、軸７３ｃの幅よりもやや大きくなっている。これのように、回動リンク片７３の軸７３ｂが蓋体レバー７５の貫通孔７５ｃ内をその延び方向に沿って移動可能になっている。
【００８１】
蓋体レバーリンク７６は、蓋体レバー７５を動かすためのリンク片である。蓋体レバー７５は、左案内部材６１の外側の側面に設けられた軸６４によって回動可能に支持されており、下側の端部（下端部７５ａ）に歯７５ｂが形成されている。蓋体レバー７５の上側の端部には蓋体４が接続されている。また、蓋体レバーリンク７６は、左案内部材６１の外側の側面に設けられた軸６５によって回転可能に支持されており、上側の端部（上端部７６ａ）に蓋体レバー７５の歯７５ｂに噛み合う歯７６ｂが形成されている。右案内部材６２にも蓋体レバー７５及び蓋体レバーリンク７６と対称に同様の図示しない蓋体レバー及び蓋体レバーリンクが設けられている。
【００８２】
上下スライド板１０と蓋体レバーリンク７６とは連動しており、上下スライド板１０が突出行程の最下部（コンバイナＣの収納状態）から所定の距離を上方に移動すると、上下スライド板１０の上方への移動に連動して、蓋体レバーリンク７６が矢印ｒ１（図１６参照）方向に回動する。歯７６ｂと歯７５ｂとの噛み合いにより、蓋体レバーリンク７６が矢印ｒ１方向に回動すると、蓋体レバー７５は矢印ｒ３（図１６参照）方向に回動する。これにより、蓋体４がコンバイナＣの上方から移動し、コンバイナＣが上方において開放される。一方、上下スライド板１０が突出行程の上述の所定の距離の位置から最下部まで下方に移動すると、上下スライド板１０の下方への移動に連動して、蓋体レバーリンク７６が矢印ｒ２（図１６参照）方向に回動する。歯７６ｂと歯７５ｂとの噛み合いにより、蓋体レバーリンク７６が矢印ｒ２方向に回動すると、蓋レバー７５は矢印ｒ４（図１６参照）方向に回動する。これにより、蓋体４がコンバイナＣの上方に移動し、コンバイナＣの上方が覆われる。
【００８３】
このようにリンク機構７１が、蓋体レバー７５、蓋体レバーリンク７６、及び回動リンク片７３によって形成されており、蓋体レバーリンク７６が上下スライド板１０の上下方向の移動に連動して回動し、蓋体レバーリンク７６の回動に連動して蓋体レバー７５が回動する。そしてこの蓋体レバー７５の回動によって回動リンク片７３の軸７３ｃが蓋体レバー７５の貫通孔７５ｃ内で移動し、回動リンク片７３が軸６７を中心に回動する。そしてこの回動リンク片７３の回動によって保持部材７２の軸７２ｂが回動リンク片７３の貫通孔７３ｅ内で移動し、保持部材７２がガイド６６に案内されて左案内部材６１に沿って上下方向に移動する。
【００８４】
上述の構成を有する保持機構７０により、蓋体４が閉じられたコンバイナＣの収納状態においては、保持部材７２の係合溝７８に横スライド板３０の被係合突起３６が入り込んで係合しており、横スライド板３０が横方向に移動できなくなっている。また、コンバイナＣの収納状態から上下スライド板１０が上方に移動すると、蓋体レバーリンク７６及び蓋体レバー７５の回転を介して蓋体４が開き、回動リンク片７３が回転して保持部材７２がガイド６６に案内されて下方又は上方に移動し、保持部材７２の係合溝７８と横スライド板３０の被係合突起３６との間の係合が解除される。
【００８５】
上述のように、本発明の第２の実施の形態に係る表示装置２又は移動装置５によれば、ギヤ部４１と、上下スライド板１０に取り付けられた上下ラック１１と、横スライド板３０に取り付けられた横ラック３１との間の位置関係のずれの発生を抑制することができる。
【００８６】
なお、図１６に示すように、表示装置２は、蓋体４に加えて他の蓋体６を有していてもよい。蓋体６は、リンク機構を介して蓋体レバー７５に連結されており、このリンク機構により、蓋体４の開閉に連動して開閉するようになっている。
【００８７】
以上、本発明の好適な実施の形態について説明したが、本発明は上記の実施の形態に係る表示装置１や移動装置２，５に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上述の実施の形態における各構成要素の形状、材料、配置、サイズ等は、本発明の具体的使用態様によって適宜変更され得る。
【００８８】
例えば、本発明の実施の形態に係る移動装置２，５においては左側に保持機構５０，７０が設けられているとしたが、本発明に係る移動装置は、移動装置２，５に対して左右逆の構造を有していてもよい。また、本発明の実施の形態に係る移動装置２おいては、保持部材５２が突起状の係合部（係合突起５６）を有するとしたが、保持部材５２は、移動装置５の保持部材７２の有する係合部（係合溝７８）のように被係合突起３６が嵌り込む溝であってもよい。同様に、本発明の実施の形態に係る移動装置５おいては、保持部材７２が溝状の係合部（係合溝７８）を有するとしたが、保持部材７２は、移動装置２の保持部材５２の有する係合部（係合突起５６）のように被係合突起３６と係合する突起であってもよい。係合部５５，７７は、互いに係合可能な形状や構造であればよく、横方向スライド板３０の被係合部は例えば溝であってもよい。
【符号の説明】
【００８９】
１…表示装置、２，５，Ｍ…移動装置、３…側板、４，６…蓋体、１０…上下スライド板、１１…上下ラック、１２…平板部、１２ａ…ボス、１３，１４…連結部、１５…カム溝、１６…案内溝、１７ａ〜１７ｃ…支持溝、２０…コンバイナ保持部、２１…保持板部、２２…リブ、２３…初期保持部、２３ａ〜２５ａ…端部、２４…傾斜保持部、２５…傾斜部、２６，２７…連結部、３０…横スライド板、３１…横ラック、３２…本体部、３２ａ…下辺、３３…左張出部、３４…右張出部、３５…左端部、３６…被係合突起、４０…動力伝達部、４１…ギヤ部、４２…モータ、４３ａ〜４３ｃ…ピニオン、４４ａ，４４ｂ…アイドルギヤ、５０，７０…保持機構、５１，７１…リンク機構、５２，７２…保持部材、５２ａ…前端部、５２ｂ…後端部、５２ｃ…突条部、５３…当接リンク、５３ａ…当接部、５４…付勢部材、５５，７７…係合部、５６…係合突起、５７，７５…蓋体レバー、５７ａ，７５ａ…下端部、５７ｂ，７５ｂ…歯、５８，７６…蓋体レバーリンク、５８ａ，７６ａ…上端部、５８ｂ，７６ｂ…歯、６１，６２…案内部材、６１ａ，６２ａ…内面、６１ｂ，６２ｂ…軸案内溝、６１ｂｔ，６２ｂｔ…上端、６１ｂｂ，６２ｂｂ…下端、６１ｃ，６２ｃ…案内ラック、６１ｄ，６２ｄ…板案内溝、６３…ガイド孔、６４，６５，６７…軸、６６…ガイド、７２ａ…ガイド溝、７２ｂ…軸、７３…回動リンク片、７３ａ…中心端部、７３ｂ…前端部、７３ｃ…軸、７３ｄ…後端部、７３ｅ…貫通孔、７４…リンク片、７５ｃ…貫通孔、７８…係合溝、Ｃ…コンバイナ、Ｃ１…表示面、ｆｓ…板ばね、ｐ１〜ｐ５…突起、ＳＨ…軸、ＳＰｎ…同期ピニオン
【図１】
2018180034.tif 000003
【図２】
2018180034.tif 000004
【図３】
2018180034.tif 000005
【図４】
2018180034.tif 000006
【図５】
2018180034.tif 000007
【図６】
2018180034.tif 000008
【図７】
2018180034.tif 000009
【図８】
2018180034.tif 000010
【図９】
2018180034.tif 000011
【図１０】
2018180034.tif 000012
【図１１】
2018180034.tif 000013
【図１２】
2018180034.tif 000014
【図１３】
2018180034.tif 000015
【図１４】
2018180034.tif 000016
【図１５】
2018180034.tif 000017
【図１６】
2018180034.tif 000018